【事件の表示】
　平成　８年特許願第２９１３９５号「複合シート、複合シート製造装置および複合シート製造方法」拒絶査定不服審判事件〔平成１０年　５月１９日出願公開、特開平１０−１２９７３９〕について、次のとおり審決する。
【結　論】
　本件審判の請求は、成り立たない。
【理　由】
１.手続の経緯・本願発明
　本願は、平成８年１１月１日に特許出願にしたものであって、その請求項１乃至８に係る発明は、平成１８年１１月２７日付け手続補正書により補正された明細書および図面の記載からみて、特許請求の範囲の請求項１乃至８に記載により特定されるとおりのものと認められるところ、請求項１に係る発明（以下、「本願発明」という。）は、次のとおりである。
「吸水性を有するベースと、このベースの一面側に設けられた接着用樹脂層と、この接着用樹脂層を介して前記ベースに接合された表面材と、前記ベースにおける前記表面材が接合された面と反対の面にライン状に設けられた裏面樹脂層とを具備し、前記接着用樹脂層は、前記ベースの一面側に部分的に設けられてなることを特徴とする複合シート。」
　
２.引用例の記載事項
(2-1)当審の拒絶理由において引用された本願出願前に頒布された実公昭６３−４５３０２号公報（以下、「引用例１」という。）には、以下の記載がある。
(2-1-1)公報第２頁第３欄第２１から４１行の
「〔問題点を解決するための手段および作用〕
  上記の目的を達成するために、本考案のドリツプ吸収シートは、図面に示す番号を用いて説明すれば、吸水性を有するシート１の片面に、不透明または着色した吸水性を有さない薄いシート２を接合し、少なくとも吸水性を有さない薄いシート２に複数の孔３を設けたことを特徴としている。
  吸水性を有するシートとしては、パルプ・レーヨンなどの不織布、スポンジ、綿、布、紙などが用いられ、不透明または着色した吸水性を有さない薄いシートとしては、薄紙にポリエチレンなどの合成樹脂をコーテイングしたもの、紙にグラシン加工したもの、耐油紙、硫酸紙、アルミニウム箔、アルミニウム蒸着箔、合成紙などが用いられる。
  食品から浸出するドリツプは、吸水性を有さないシートの孔、または吸水性を有するシートの側面から吸収される。この場合、通常はドリツプに色がついているので、吸水性を有さないシートに色をつけて不透明または着色シートとし、ドリツプの色が見えないようにする。」
(2-1-2)公報第２頁第４欄第１３から１６行の
「第３図および第４図に示すように、吸水シート１の下面に防水シート２ａを貼着して３層とし、下方からの氷などの水分が吸水されないようにする場合もある。」
(2-1-3)公報第２頁第４欄第３０から３２行の
「食品６から浸出するドリツプは孔３から吸水シート１に吸収され」
　
　上記(2-1-1)乃至(2-1-3)および第３図より、引用例１には、
「吸水性を有する吸水シート１と、この吸水シート１の下面に貼着された防水シート２ａと、前記シートにおける前記防水シート２ａが貼着された面と反対の面に設けられた『複数の孔を有する合成紙からなる薄いシート２』とを具備したことを特徴とする３層の吸収シート。」が開示されているものと認める。
　
(2-2)当審の拒絶理由において引用された本願出願前に頒布された「特開平６−２４５９５４号公報（以下、「引用例２」という。）には、以下の記載がある。
(2-2-1)「【０００４】【課題を解決するための手段】
　本発明は、既存の生理帯や紙おむつ等の衛生材料の機能維持のために使用されている水に非崩壊性の素材使用を中止して、同様の機能を有し、しかも一定の条件下では水崩壊性となる、しかも既存の商品に比較して生産効率のすぐれた安価なシステムを使用するものである。
　・・・（中略）・・・そこで本発明においては、使用時、水量が少ない条件においては使用に耐える耐水性を有し、水量の多いトイレットに投入するときは水中に崩壊して放流可能となるように、疎水性のポリマーを原料とする印刷インキで、身体に接触する面に、水分の吸収が可能な網点状、格子状又は線状の連続していない皮膜の印刷を施し、反対側の防漏を必要とする面には、実質的に全面に連続した皮膜の印刷又は塗装を行う。
  ・・・（中略）・・・
　身体に接触する面は、水分を吸収した吸収性層との接触を避け、乾燥した柔らかい感触が望まれるので、必要に応じてスポンジ状に発泡する発泡性インキで、網点状、格子状又線状に印刷することが望ましい。なお、印刷模様としてはほぼ均一であることかが普通であるが、必ずしも平均化している必要はなく、ある部分は密度が高い、等の変化を持たせることも可能であり、さらに網点や線の太さ等を変化させてもよい。
　既存の生理帯、紙おむつ等の衛生材料の生産においては、水に非崩壊性の多孔質層、防漏層の間に吸収性層を重ね合わせ加熱接着させるという方式がとられているが、本発明においては、吸収性層の両面に、それぞれ印刷又は塗装を行い、加熱乾燥を行うという非常に簡略的な方式で充分であり、さらには発泡、着色、商品名の印刷等を同時に行うことができるという利点があり、大きな製造コストの低減が期待できる。
　中心になる吸収層（吸収性シート）としては、パルプ又はパルプを主成分とし、水溶性ホットメルト接着剤として平均分子量１０万〜５００万のポリエチレンオキシドを分散させたシートを用いることが好ましい。ポリエチレンオキシドを形態維持のための水溶化剤として添加してなるシートである。また、パルプ又はパルプを主成分とするシートにポリエチレンオキシドを主体とする塗布層を形成してもよい。
　このパルプシートの身体に接触する面に、疎水性の印刷インキで網点状、格子状または線状の印刷を行ない、使用時はこの疎水性の印刷面が身体に接触し、非印刷面より経血、尿等が吸収できるようにした。更にパルプシートの反対側の面には疎水性の連続した皮膜である印刷層があるため、防漏性を付与した。この防漏性としては、水分は勿論、衛生材料の製造における、身体に接触しては困る物質の吸収性シートへの移行を防ぐ意味もある。
　さらに、本発明の衛生材料としては、印刷層／吸収性シート／印刷又は塗装層の構成からなり、必要に応じて水崩壊性紙の面に粘着剤層／剥離性シリコーン層／水崩壊性紙、等を重ねてもよい。
　ここに使用する水崩壊性剥離紙は、例えばパルプ９５重量％、平均重合度５００のポリビニルアルコール５重量％から水崩壊性紙の表面に平均分子量２０万のポリエチレンオキシド５重量％、平均分子量４００のポリエチレングリコール５重量％、メタノール９０重量％からなるポリエチレンオキシド溶液を塗布、乾燥し、ついで、この塗装面に剥離性シリコーン５重量％トルエン溶液を塗布、加熱、硬化させる。
　剥離紙としては、吸収性シートと同様なパルプシートを使用することができる。例えば水崩壊性紙（パルプ／ポリビニルアルコール＝９５／５）に、剥離性シリコーンを塗布した剥離紙や水崩壊性紙に水崩壊性グラビアインキ（ポリエチレンオキシド／ポリエチレングリコール／メタノール＝５／５／９０）を塗布、乾燥した後、剥離性シリコーン５重量％トルエン溶液を塗布、加熱、硬化させて得られた水崩壊性剥離紙等を使用することができる。
　前記したように加工された本発明の衛生材料は使用に当って、身体に接触する部分は疎水性の網点状、格子状又は線状の印刷面であるため、乾燥した感触が得られると共に、液体は非印刷面を通過して吸収層に吸収される。吸収された液体は連続した皮膜の印刷または塗装層で吸収層から外部への滲透を防止されて防漏の効果を示す。しかしながら使用後、廃棄するに当っては本発明の衛生材料は容易に水中に崩壊するので、トイレットに投入放流することができる。
　本発明において、、印刷インキ中にゼオライト、酸化亜鉛を混合することにより窒素系、硫黄系の臭気を吸収することが可能であり、消臭効果を高めることができる。
　また、生理帯、紙おむつ等の衛生材料の使用時の細菌、カビの繁殖を防止するため、安定な抗菌剤、抗カビ剤としてシリコーン第四級アンモニウム塩等を含有したインキを使用することもできる。」
　
　上記(2-2-1)より、引用例２には、
「吸水性を有する吸収層と、この吸収層の一面側に設けられた『防漏のための全面皮膜』と、前記吸収層における前記『防漏のための全面被覆』が設けられた面と反対の面に線状に設けられた皮膜とを具備する衛生材料。」が開示されているものと認める。
　
３.対比・判断
　本願発明と引用例１記載の発明とを対比する。
○後者の「吸水シート１」、「下面」、「貼着」、「防水シート２ａ」、「３層の吸収シート」、「反対の面」は、　
　前者の「ベース」、「一面側」、「接合」、「表面材」、「複合シート」、「裏面」のそれぞれに相当しているものと認める。  
○後者の「吸水シート１（ベース）における反対の面（裏面）に設けられた『複数の孔を有する合成紙からなる薄いシート２』」は、複数の孔を有する薄いシート（層）を用いること自体、裏面を部分的に被覆するためであり、また、一般に、合成紙は樹脂から形成されることから、「ベースにおける反対の面（裏面）に設けられた樹脂からなる部分被覆層」に対応し、
　前者の「ベースにおける反対の面（裏面）にライン状に設けられた裏面樹脂層」は、ライン状の樹脂層を用いること自体、裏面を部分的に被覆するためであることから、「ベースにおける反対の面（裏面）に設けられた樹脂からなる部分被覆層」に対応しているので、
　両者は、「ベースにおける裏面に設けられた樹脂からなる部分被覆層」という点で、軌を一にしているものと認める。
　
　上記より、両者は、
「吸水性を有するベースと、このベースの一面側に接合された表面材と、前記ベースにおける前記表面材が接合された面と反対の面（裏面）に設けられた樹脂からなる部分被覆層とを具備することを特徴とする複合シート。」という点で一致し、以下の点で相違しているものと認める。
　
◇前者では、部分被覆層として、ライン状の層を用いているのに対して、後者では、複数の孔を有する層を用いている点。（以下、「相違点１」という。）
◇前者では、ベースの一面側に表面材を接合することにおいて、ベースの一面側に接着用樹脂層を部分的に設け、この接着用樹脂層を介して接合するのに対して、後者には、ベースの一面側に表面材を接合することの記載はあるものの、上記事項が明記されていない点。（以下、「相違点２」という。）
　
　上記両相違点について検討する。
◆相違点１について
　上記(2-2)で示したように、引用例２には、
「吸水性を有する吸収層と、この吸収層の一面側に設けられた『防漏のための全面皮膜』と、前記吸収層における前記『防漏のための全面被覆』が設けられた面と反対の面に線状に設けられた皮膜とを具備する衛生材料。」が開示されており、
　これは、「吸収層（ベース）における反対の面（裏面）に線状（ライン状）に設けられた皮膜（部分被覆層）」、つまり、「ベースにおける反対の面（裏面）に設けられた部分被覆層」として、ライン状の層を用いることを示すものであると認める。
　
　ここで、引用例１記載の発明と引用例２記載の発明とは、上記からして、「ベースにおける反対の面（裏面）に設けられた部分被覆層」という点で軌を一にしている。
　さらに、引用例１記載の発明の「部分被覆層」は、上記(2-1-3)より、食品６から浸出するドリツプを通過させてベース（吸水シート１）に吸収させるものであって、「液を通過させてベースに吸収させる部分被覆層」に対応し、
　引用例２記載の発明の「部分被覆層」は、上記(2-2-1)より、経血、尿等を通過させてベース（吸収層）に吸収させるものであって、「液を通過させてベースに吸収させる部分被覆層」に対応していることから、
　両者は、「液を通過させてベースに吸収させる部分被覆層」という点でも軌を一にしている。
　
　上記より、「液を通過させてベースに吸収させる部分被覆層」および「ベースにおける反対の面（裏面）に設けられた部分被覆層」という点で引用例２記載の発明の「部分被覆層」と軌を一にする引用例１記載の発明の「部分被覆層」としても、引用例２記載の発明と同様に、複数の孔を有する層を用いることに代えて、ライン状の層を用いる、即ち、相違点１で示した本願発明の事項を構成することに格別の困難性があるとは云えない。
　
◆相違点２について
　一般に、一方の層の一面側に他方の層を接合することにおいて、一方の層の一面側に接着用樹脂層を部分的に設け、この接着用樹脂層を介して接合すること自体、先行技術文献を示すまでもなく、本願出願前周知の事項であると認められることから、引用例１記載の発明の「ベース（一方の層）の一面側に表面材（他方の層）を接合すること」においても、上記周知の事項と同様に、ベースの一面側に接着用樹脂層を部分的に設け、この接着用樹脂層を介して接合する、即ち、相違点２で示した本願発明の事項を構成することに格別の困難性があるとは云えない。
　
　したがって、本願発明は、引用例１、２記載の発明および本願出願前周知の事項に基づいて当業者が容易に発明をすることができたものである。 
　
４.むすび
　したがって、本願発明は、引用例１、２記載の発明および本願出願前周知の事項に基づいて当業者が容易に発明をすることができたものであるので、特許法第２９条第２項の規定により特許を受けることができない。
　それゆえ、本願は、特許請求の範囲の請求項２乃至８に係る発明について、検討するまでもなく、拒絶すべきものである。
　よって、結論のとおり審決する。